【事件の表示】
　特願２０１６−　　４６０４号「遊技機」拒絶査定不服審判事件〔平成２９年　７月２０日出願公開、特開２０１７−１２４００１号〕について、次のとおり審決する。
【結　論】
　本件審判の請求は、成り立たない。
【理　由】
第１　手続の経緯 
　本願は、平成２８年１月１３日の出願であって、平成２８年８月２６日付けで拒絶の理由が通知され、平成２８年１０月２１日に意見書及び手続補正書が提出され、平成２９年３月１日付けで最後の拒絶の理由が通知され、平成２９年４月２７日に意見書及び手続補正書が提出されたところ、平成２９年８月１７日付け（発送日：平成２９年８月２２日）で、平成２９年４月２７日付け手続補正が却下されるとともに拒絶査定がなされ、それに対して、平成２９年１１月１４日に拒絶査定不服審判の請求がなされると同時に手続補正がなされたものである。
第２　平成２９年１１月１４日にされた手続補正についての補正の却下の決定 
［補正の却下の決定の結論］ 
　平成２９年１１月１４日にされた手続補正（以下「本件補正」という。）を却下する。 
［理由］ 
１．本件補正の概要 
　本件補正は特許請求の範囲の請求項１を補正する内容を含んでおり、平成２８年１０月２１日付けの手続補正と本件補正の特許請求の範囲の請求項１の記載はそれぞれ、以下のとおりである（下線部は、補正箇所を示す。）。
（補正前：平成２８年１０月２１日付け手続補正）
「【請求項１】
移動可能な移動部を有して演出を行う演出部と、
第１の状態から回転して第２の状態になることが可能であって、演出に関わる画像を表示する画像表示部と、を備え、
前記演出部の前記移動部が移動した後の状態にて前記移動部が形成する所定の形状の一部を、回転後の前記第２の状態の前記画像表示部が補完することを特徴とする
遊技機。」
（補正後：本件補正である平成２９年１１月１４日付け手続補正）
「【請求項１】
移動可能な移動部を有して演出を行う演出部と、
第１の状態から回転して第２の状態になることが可能であって、演出に関わる画像を表示する画像表示部と、を備え、
前記演出部の前記移動部が移動する際に前記画像表示部が移動し、当該
当該
当該
遊技機。」
２．補正の適否 
　補正後の請求項１は、補正前の請求項１に記載された発明特定事項である「移動部」と「画像表示部」の移動のタイミングについて、「前記演出部の前記移動部が移動する際に前記画像表示部が移動」することを特定することにより、補正前の請求項１に記載された「遊技機」を限定するものである。
　そして、補正後の請求項１に記載された発明は、補正前の請求項１に記載された発明と、産業上の利用分野及び解決しようとする課題が同一であるので、本件補正は、特許法第１７条の２第５項第２号に規定する「特許請求の範囲の減縮」を目的とする補正に該当する。
　そして、本件補正は、【０２９８】、【０３１２】、【０３１３】、図３９、図４２等の記載に基いており、新規事項を追加するものではない。
３．独立特許要件
　そこで、本件補正後の請求項１に記載された発明が特許出願の際独立して特許を受けることができるものであるか否か、すなわち、特許法第１７条の２第６項において準用する同法第１２６条第７項の規定に適合するか否か、について以下において検討する。
（１）本件補正後の請求項１に係る発明
　本件補正後の請求項１に係る発明（以下、「本件補正発明」という。）は、上記１．の本件補正の概要において示した次に特定されるとおりのものである（Ａ〜Ｄについては、発明特定事項を分説するため当審で付した。）。
「Ａ　移動可能な移動部を有して演出を行う演出部と、
Ｂ　第１の状態から回転して第２の状態になることが可能であって、演出に関わる画像を表示する画像表示部と、を備え、
Ｃ　前記演出部の前記移動部が移動する際に前記画像表示部が移動し、当該移動部が移動した後の状態にて当該移動部が形成する所定の形状の一部を、回転後の前記第２の状態の当該画像表示部が補完することを特徴とする
Ｄ　遊技機。」
（２−１）引用文献１に記載された発明 
　原査定の拒絶理由において提示された、本願の出願前に頒布された刊行物である特開２０１３−２０８３０８号公報（以下「引用文献１」という。）には、図面と共に次の事項が記載されている（下線は当審にて付した。）。
（ア）「【００１０】
　以下、本発明を図面に示した実施の形態により詳細に説明する。
　図１は本発明の実施形態に係る遊技機の一例としての
パチンコ遊技機
（イ）「【００３５】
　図８乃至図２０に示すように、
第１の演出用可動装置Ａは、サブ画像表示装置３０、動作機構６０を主構成要素としている。
　即ち、メイン画像表示装置７の前面にあるメイン表示画面７ａの前方にはサブ画像表示装置３０が配置されており、サブ画像表示装置３０は、動作機構（サブ画像表示装置動作機構）６０によって図１、図２、図８、図１８等に示した下降位置（第１の位置）と図３、図４、図８乃至図１０、図１９、図２０等に示した上昇位置（第２の位置）との間を進退自在に構成されている。
【００３６】
　
サブ画像表示装置３０は、表示装置基部３３と、表示装置基部３３の前面に配置された長方形状の表示画面（第２表示画面）３１と、表示装置基部３３の後面に配置されたギミック等の役物演出部５０と、を備えている。
　
表示装置基部３３は、
回転（自転）自在に構成されており、サブ表示画面３１と役物演出部５０を交互に前面側に方向転換して遊技者に視認させるように構成されている
  各ホルダ部材４０は、表示装置基部３３の長手方向両側端縁の各中間部に設けた各被軸支部３４ａを回転自在に軸支することにより各被軸支部３４ａ（軸支部３４）間を結ぶ回転軸線（第１の回転軸）３４Ａを中心として表示装置基部３３を正逆回転させる。」
（ウ）【００５７】
　次に、図１乃至図７に示すように飾り部材６の上縁部の裏側であってメイン画像表示装置７の
メイン表示画面７ａの前方には、
第２の演出用可動装置Ｂを構成する２つの半環状部材１００が表示画面の前方に出没自在に構成されている。半環状部材１００は、
端縁同士を近接させて環状体１０１を構成する
（エ）「【００５８】
　
図２４（ａ）
は第２の演出用可動装置Ｂの開放状態を示す正面図
であり、図２５（ａ）
は第２の演出用可動装置Ｂの閉止状態を示す正面図
である。
　第２の演出用可動装置Ｂは、２つの開閉軸１０５を中心として夫々メイン画像表示装置の表示画面と並行な平面に沿って回動（開閉）する２つのアーム部材１０７と、各開閉軸１０５に一体化されて各開閉軸を中心として回動する開閉ギヤ１０８と、各アーム部材１０７の先端に一体化された半環状部材１００と、各アーム１０７の開閉軸１０５を回動させる駆動機構１１０と、を概略備えている。」
（オ）「【０１２０】
　図４５、図４６は、本実施形態の遊技機における遊技演出の一例を示した図である。
　本実施形態の遊技機１では、例えば図４５（ａ）〜（ｃ）に示すようにメイン表示画面７ａに表示されている変動中の演出図柄８のうち、第１図柄８ａと第３図柄８ｂが同一図柄（例えば「７」）で停止してリーチ状態に移行したときに、図４６に示すような遊技演出に移行するように構成されている。
　また、図４５（ａ）〜（ｃ）に示すような演出図柄８がリーチ状態に移行するまでの図柄変動期間では、メイン表示画面７ａの前部下方に配置されている第１の演出用可動装置Ａは、サブ表示画面３１が横長状態で且つ遊技者から視認し易いように斜め上方に約４５度傾斜させた状態で停止している。なお、このとき
サブ表示画面３１にはリーチや大当たりの期待度を表す画像を表示する
　また、同様に図４５（ａ）〜（ｃ）に示すような演出図柄８がリーチ状態に移行するまでの図柄変動期間では、飾り部材６の上縁部の裏側であってメイン表示画面７ａの前方に配置されている第２の演出用可動装置Ｂも飾り部材６の裏側に退避した状態のままとなる。」
（カ）「【０１２３】
　次に、第２の演出用可動装置Ｂの動作について説明する。
　第２の演出用可動装置Ｂは、図４６（ａ）〜図４６（ｃ）に示した期間では、飾り部材６の上縁部の裏側に退避した状態を継続する。そして、図４６（ｃ）に示すように、
第１の演出用可動装置Ａの役物演出部５０
図４６（ｄ）に示すように、役物演出部５０の背面に隠蔽されている可動部５４が可動した際には、可動部５４の可動タイミングに合わせて、第２の演出用可動装置Ｂを構成する２つの半環状部材１００を可動するようにしている。つまり、役物演出部５０を包囲するような環状体１０１を構成するようにしている。
（キ）
図２４（ａ）
図２５（ａ）
　図２４（ａ）には、半環状部材１００は、半環状の外側でアーム部材１０７に接して設けられる外側部分と、外側部分の内側に設けられる内側部分とからなり、外側部分は内側部分より弧の長さが短いことが図示され、図２５（ａ）には、２つの半環状部材１００の内側部分の端縁が接することにより円が形成されること、その際、半環状部材１００の外側部分の端縁は離れていることが図示されている。
（ク）
図４６（ｃ）
図４６（ｄ）
　図４６（ｃ）には、役物演出部５０の上部には、半環状部材１００の外側部分と内側部分に対応する部分があるように見える部分があることが図示され、図４６（ｄ）には、２つの半環状部材１００の前面に役物演出部５０が配置され、正面から見て上部に、２つの半環状部材１００と、役物演出部５０とで、半環状部材１００の外側部分と内側部分が連続した円弧に見える部分があることが図示されている。
　上記（ア）〜（カ）の記載事項、上記（キ）、（ク）の図示内容から、以下の事項が導かれる。
（ａ）上記（ウ）【００５７】には、「メイン表示画面７ａの前方には、・・・第２の演出用可動装置Ｂを構成する２つの半環状部材１００が表示画面の前方に出没自在に構成されている。半環状部材１００は、・・・役物演出部５０を包囲するように端縁同士を近接させて環状体１０１を構成する」と記載されている。
　よって、引用文献１には、メイン表示画面７ａの前方に出没自在に構成されている２つの半環状部材が端縁同志を近接させて環状体１０１を構成する第２の演出用可動装置Ｂが記載されているといえる。
（ｂ）上記（イ）【００３５】、【００３６】には、「第１の演出用可動装置Ａは、サブ画像表示装置３０、動作機構６０を主構成要素としている。・・・サブ画像表示装置３０は、表示装置基部３３と、表示装置基部３３の前面に配置された長方形状の表示画面（第２表示画面）３１と、表示装置基部３３の後面に配置されたギミック等の役物演出部５０と、を備えている。表示装置基部３３は、・・・回転（自転）自在に構成されており、サブ表示画面３１と役物演出部５０を交互に前面側に方向転換して遊技者に視認させるように構成されている」と、上記（オ）【０１２０】には、「サブ表示画面３１にはリーチや大当たりの期待度を表す画像を表示する」と、それぞれ、記載されている。
　よって、引用文献１には、サブ表示画面３１が遊技者から視認できる状態から回転して役物演出部５０が遊技者から視認できる状態となるように構成され、リーチや大当たりの期待度を表す画像を表示する第１の演出用可動装置Ａが記載されているといえる。
（ｃ）上記（カ）【０１２３】には、「第１の演出用可動装置Ａの役物演出部５０・・・の背面に隠蔽されている可動部５４・・・の可動タイミングに合わせて、第２の演出用可動装置Ｂを構成する２つの半環状部材１００を可動する」と記載されている。
　また、上記（ウ）【００５７】の「半環状部材１００は、・・・端縁同士を近接させて環状体１０１を構成する」の記載、上記（エ）【００５８】の「図２４（ａ）・・・は第２の演出用可動装置Ｂの開放状態を示す正面図・・・であり、図２５（ａ）・・・は第２の演出用可動装置Ｂの閉止状態を示す正面図・・・である。」の記載、及び、上記（キ）の図２４（ａ）、図２５（ａ）の図示内容から見て、２つの半環状部材１００で構成する環状体１０１は、内側部分の端縁は接しているが、外側部分の端縁は離れているといえる。
　そして、上記（カ）【０１２３】の「図４６（ｄ）に示すように、役物演出部５０の背面に隠蔽されている可動部５４が可動した際には、可動部５４の可動タイミングに合わせて、第２の演出用可動装置Ｂを構成する２つの半環状部材１００を可動するようにしている。つまり、役物演出部５０を包囲するような環状体１０１を構成するようにしている。」の記載、及び、上記（ク）の図４６（ｃ）、（ｄ）の図示内容から見て、２つの半環状部材１００を可動して構成される、外側部分と内側部分のうち、外側部分の端縁が離れている環状体１０１と、半環状部材１００の外側部分と内側部分に対応する部分があるように見える役物演出部５０の上部とで、半環状部材１００の外側部分と内側部分が連続した円弧に見えるように構成されているといえる。
　よって、引用文献１には、第１の演出用可動装置Ａの役物演出部５０の背面に隠蔽されている可動部５４の可動タイミングに合わせて、第２の演出用可動装置Ｂを構成する２つの半環状部材１００を可動し、２つの半環状部材１００を可動して構成される、外側部分と内側部分のうち、外側部分の端縁が離れている環状体１０１と、半環状部材１００の外側部分と内側部分に対応する部分があるように見える役物演出部５０の上部とで、半環状部材１００の外側部分と内側部分が連続した円弧に見えるように構成されていることが記載されているといえる。
（ｄ）上記（ア）【００１０】には、「パチンコ遊技機」と記載されている。
　以上（ア）〜（カ）の記載事項、上記（キ）、（ク）の図示内容、及び上記（ａ）〜（ｄ）の認定事項を総合すれば、引用文献１には、以下の発明（以下「引用発明」という。）が記載されている（ａ〜ｄは発明の構成を分説するため当審で付した。）。
「ａ　メイン表示画面７ａの前方に出没自在に構成されている２つの半環状部材が端縁同志を近接させて環状体１０１を構成する第２の演出用可動装置Ｂと、
ｂ　サブ表示画面３１が遊技者から視認できる状態から回転して役物演出部５０が遊技者から視認できる状態となるように構成され、リーチや大当たりの期待度を表す画像を表示する第１の演出用可動装置Ａと、を備え、
ｃ　第１の演出用可動装置Ａの役物演出部５０の背面に隠蔽されている可動部５４の可動タイミングに合わせて、第２の演出用可動装置Ｂを構成する２つの半環状部材１００を可動し、２つの半環状部材１００を可動して構成される、外側部分と内側部分のうち、外側部分の端縁が離れている環状体１０１と、半環状部材１００の外側部分と内側部分に対応する部分があるように見える役物演出部５０の上部とで、半環状部材１００の外側部分と内側部分が連続した円弧に見えるように構成されている
ｄ　パチンコ遊技機。」 
（２−２）引用文献２に記載された技術事項
　本願の出願前に頒布され、平成２８年８月２６日付け拒絶理由通知書にて提示された特開２０１５−８０６４８号公報（以下「引用文献２」という。）には、図面と共に次の事項が記載されている（下線は当審にて付した。）。 
（ケ）「【００２５】
　以下、図面を参照しつつ、本発明の一実施形態を詳細に説明する。尚、本実施例におけるフローチャートの各ステップの説明において、例えば「ステップＳ１」と記載する箇所を「Ｓ１」と略記する場合がある。図１は、本実施の形態におけるパチンコ遊技機の正面図であり、主要部材の配置レイアウトを示す。
パチンコ遊技機
１
（コ）「【００３４】
　
画像表示装置５の下方であって、遊技盤２の背面側には副画像表示装置５１が設けられている。副画像表示装置５１は、
各種の演出画像を表示する表示領域を形成している。
【００３５】
　
遊技盤２の開口の内側には、演出の実行時等に動作する可動部材５２が設けられている。
副画像表示装置５１が動作するときに、その動作と連動した動作が実行される。
ここでいう「連動」とは、同時に動作すること
をいう。
（サ）「【０３１５】
　図３２は、この実施の形態における変動中予告パターンの一覧を示す図である。この実施の形態では、副画像表示装置５１を用いた変動中予告演出が実行されるようになっている。図３２に示す、予告パターンＹＰ１は、
副画像表示装置５１（サブ液晶）
サブ液晶を回転動作
させるとともに、可動部材５２をサブ液晶の動作と連動するように
動作させる
・・・
【０３１８】
　図３５は、予告パターンＹＰ４に決定された場合の演出動作例を示している。予告パターンＹＰ４に決定された場合には、まず、副画像表示装置５１に予告画像が表示され、予告画像が表示された状態で副画像表示装置５１が待機位置から重畳位置に水平動作（図４〜図５に示す動作）する。その後、図３５（Ａ）及び図３５（Ｂ）に示すように、
副画像表示装置５１が回転動作するとともに、可動部材５２が連動して動作する。
　以上（ケ）〜（サ）の記載事項から、引用文献２には、次の技術事項（以下「引用文献２に記載の技術事項」という。）が記載されていると認められる。 
「副画像表示装置５１を回転動作させるとともに、可動部材５２を同時に動作させるパチンコ遊技機１。」
（３）対比
　本件補正発明と引用発明とを対比する。なお、見出しは（ａ）〜（ｄ）とし、本件補正発明、引用発明の分説に対応させている。
（ａ）引用発明の「２つの半環状部材」は、「メイン表示画面７ａの前方に出没自在に構成されている」ものであるから、本件補正発明の「移動可能な」「移動部」に相当する。
　そして、引用発明の「２つの半環状部材が端縁同士を近接させて環状体１０１を構成する」ことは、演出を行うことであるといえるから、引用発明の「第２の演出用可動装置Ｂ」は、本件補正発明の「演出部」に相当する。
　よって、引用発明の「メイン表示画面７ａの前方に出没自在に構成されている２つの半環状部材が端縁同志を近接させて環状体１０１を構成する第２の演出用可動装置Ｂ」は、本件補正発明の「移動可能な移動部を有して演出を行う演出部」に相当する。
（ｂ）引用発明の「第１の演出用可動装置Ａ」が「サブ表示画面３１が遊技者から視認できる状態から回転して役物演出部５０が遊技者から視認できる状態となるように構成され」ることは、本件補正発明の「第１の状態から回転して第２の状態」になることが可能であ」ることに相当する。
　そして、引用発明の「第１の演出用可動装置Ａ」は、「リーチや大当たりの期待度を表す画像を表示する」ものであるから、本件補正発明の「演出に関わる画像を表示する」「画像表示部」に相当する。
　よって、引用発明の「サブ表示画面３１が遊技者から視認できる状態から回転して役物演出部５０が遊技者から視認できる状態となるように構成され、リーチや大当たりの期待度を表す画像を表示する第１の演出用可動装置Ａ」は、本件補正発明の「第１の状態から回転して第２の状態になることが可能であって、演出に関わる画像を表示する画像表示部」に相当する。
（ｃ）上記（ａ）より、引用発明の「２つの半環状部材」は、本件補正発明の「移動部」に相当する。
　そうすると、引用発明の「２つの半環状部材１００を可動」した後の状態は、本件補正発明の「移動部が移動した後の状態」に相当するから、引用発明の「２つの半環状部材１００を可動して構成される」形状である「環状体１０１」は、本件補正発明の「当該移動部が移動した後の状態にて当該移動部が形成する所定の形状」に相当する。
　また、上記（ｂ）の検討を踏まえると、引用発明の「役物演出部５０」は、本件補正発明の「回転後の前記第２の状態の当該画像表示部」に相当する。
　そして、引用発明の「２つの半環状部材１００を可動して構成される」「環状体１０１」は、「半環状部材１００」の「外側部分と内側部分のうち、外側部分の端縁が離れている」ものであり、「半環状部材１００の外側部分と内側部分に対応する部分があるように見える役物演出部５０の上部とで、半環状部材１００の外側部分と内側部分が連続した円弧に見えるように構成されている」ことから、「半環状部材１００」の「外側部分と内側部分のうち、外側部分の端縁が離れている」部分、すなわち、「移動部が形成する所定の形状の一部」を、「役物演出部５０」、すなわち、「回転後の前記第２の状態の当該画像表示部」が「補完」しているといえる。
　よって、引用発明の構成ｃは、本件補正発明の構成Ｃと、当該移動部が移動した後の状態にて当該移動部が形成する所定の形状の一部を、回転後の前記第２の状態の当該画像表示部が補完する点で共通する。
（ｄ）引用発明の「パチンコ遊技機」は、本件補正発明の「遊技機」に相当する。
　上記（ａ）〜（ｄ）の対比により、本願補正発明と引用発明とは、
「Ａ　移動可能な移動部を有して演出を行う演出部と、
Ｂ　第１の状態から回転して第２の状態になることが可能であって、演出に関わる画像を表示する画像表示部と、を備え、
Ｃ’　当該移動部が移動した後の状態にて当該移動部が形成する所定の形状の一部を、回転後の前記第２の状態の当該画像表示部が補完する
Ｄ　遊技機。」
である点で一致し、以下の点で相違する。
［相違点］
　本件補正発明は、演出部の移動部が移動する際に画像表示部が移動するのに対し、引用発明では、第１の演出用可動装置Ａの役物演出部５０の背面に隠蔽されている可動部５４の可動タイミングに合わせて、第２の演出用可動装置Ｂを構成する２つの半環状部材１００を可動する点（構成Ｃ）。
（４）判断
　上記相違点について検討する。
　上記（２−２）より、引用文献２には、「副画像表示装置５１を回転動作させるとともに、可動部材５２を同時に動作させるパチンコ遊技機１」が記載されている。
　ここで、引用文献２に記載の技術事項の「可動部材５２」、「副画像表示装置５１」は、それぞれ、本件補正発明の「演出部の移動部」、「画像表示部」に相当する。
　そうすると、引用文献２に記載の技術事項と、上記相違点に係る本件補正発明の構成は、表現上の差違はあるものの、演出部の移動部と画像表示部が同時に移動する点で一致する。
　引用発明も引用文献２に記載の技術事項もいずれも遊技機の技術分野に属するものであるから、引用発明において、引用文献２に記載のタイミングで第１の演出用可動装置Ａと第２の演出用可動装置Ｂを移動させることにより、上記相違点に係る本件補正発明の構成とすることは、当業者が容易になし得たことである。
（５）請求人の主張について 
　請求人は、審判請求書３．（４）において、「本願発明は、・演出部の移動部が移動する際に画像表示部が移動し、移動部が移動した後の状態にて移動部が形成する所定の形状の一部を、回転後の前記第２の状態の画像表示部が補完するという特徴的な構成を有する。これにより、移動部および画像表示部のうちの一方が先に移動し他方が後に移動する場合に比べて、一体感がある演出であって、且つ、移動部が形成する所定の形状の一部を画像表示部が補完することを遊技者が予想し難くなるため意外性のある演出を実現することができる、という顕著な効果を奏する。」と主張している。
　この主張について検討すると、上記（４）で検討したとおり、演出部の移動部が移動する際に画像表示部が移動することは、引用文献２に記載されており、上記請求人が主張する効果は、引用文献２に記載の技術事項から予測し得る範囲のものであり格別なものとはいえない。
　よって、請求人の主張は採用できない。
（６）小括 
　したがって、本件補正発明は、引用発明及び引用文献２に記載の技術事項に基づいて当業者が容易に発明をすることができたものであるから、特許法第２９条第２項の規定により、特許出願の際独立して特許を受けることができない。 
４．むすび 
　上記３において検討したことからみて、本件補正は、特許法第１７条の２第６項において準用する同法第１２６条第７項の規定に違反するので、同法第１５９条第１項において読み替えて準用する同法第５３条第１項の規定により却下すべきものである。 
第３　本願発明について 
１．本願発明 
　本件補正は、上記のとおり却下されたので、本願の請求項１に係る発明（以下「本願発明」という。）は、平成２８年１０月２１日付けの手続補正書により補正された、上記第２の１．で示した特許請求の範囲の請求項１に記載されたとおりのものである。 
２．原査定における拒理の理由 
　原査定の拒絶の理由である理由１は、本願は、その出願前に日本国内において、頒布された下記の刊行物に記載された発明であるから、特許法第２９条第１項第３号に該当し、特許を受けることができない、というものである。 
　引用文献１　特開２０１３−２０８３０８号公報　 
３．引用文献１に記載された事項
　原査定の拒絶の理由に引用された引用文献１の記載事項は、上記第２の３．（２−１）に記載したとおりである。 
４．対比・判断 
　本願発明は、本件補正発明の発明特定事項から、「移動部」と「画像表示部」の移動のタイミングについて、「前記演出部の前記移動部が移動する際に前記画像表示部が移動」するという限定を付加した部分を削除し、「当該移動部」及び「当該画像表示部」とあったところを、「前記移動部」及び「前記画像表示部」と表現を変えたものである。
　そうすると、上記第２の３．（３）で検討したとおり、本件補正発明と引用発明の相違点は、本件補正発明は、演出部の移動部が移動する際に画像表示部が移動するという構成のみであるから、この構成を省いた本願発明と引用発明とに相違点は存在しない。
 　したがって、本願発明は、引用発明と同一であり、引用文献１に記載された発明であるといえる。 
５．むすび 
　以上のとおり、本願発明は、引用文献１に記載された発明であり、特許法第２９条第１項第３号に該当し特許を受けることができないものである。 
　したがって、本願は拒絶すべきものである。 
　よって、結論のとおり審決する。